(57)【要約】      （修正有）【課題】多くの情報が表示できると共に、多数のカード類を収納でき、しかもカードの収納保持の信頼性も高く、カードケース型情報シートを容易かつスムースに展開可能にするとともに、カードケースの吊持、携帯をキーホルダ等の併用によって可能にしたカードケース型情報シートおよびカードケースを提供する。【解決手段】第１中間片９の上側左寄りに折線１２を介して第２フラップ１１を連設し、当該折線１２上に細長孔２７を設け、表片２の左側に折線１５を介して方形の第２中間片１４を有し、この第２中間片１４の左側に折線１７を介して方形の裏片１６を有し、該裏片１６の左側に折線１９を介して折込片１８を有し、この折込片１８の左側に折線を介して前記折込片１８と略同幅の略矩形の摘み片２２を有し、前記折込片１８に、この折込片１８の摘み片２２側に所定幅に亘って山折された谷折り片部２６を有する。【選択図】図２
0003179780.tif 000002
【実用新案登録請求の範囲】
【請求項１】
中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された、当該折線上に細長孔を有する第２フラップと、表片の左側に折線を介して連設された方形の第２中間片と、該第２中間片の左側に折線を介して連設された方形の裏片と、該裏片の左側に折線を介して連設され、左側の所定幅が谷折り片部に形成された折込片と、
該折込片の谷折り片部に折線を介し連接された摘み片と、
を備える型シートに形成され、
該型シートにおける全部または一部の片の表面および／または裏面が、情報表示部となり、
この型シートにおいて、第１中間片を、折線を介して表片上に折り重ね、その折り重ねた第１中間片の上に第２中間片を、折線を介して折り重ねて、今まで裏面側だった該第２中間片に連接する裏片、折込片および摘み片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と折込片との間の折線を介して折込片を裏片側に折り畳むと共に折込片と摘み片との間の折線を介して摘み片を折り返し、この折り重ねられた折込片と摘み片を、両者の間の折線を先端頂部として前記結合したフラップと第２中間片との間に挿入してなることを特徴とするカードケース型情報シート。
【請求項２】
前記表片の上側に折線を介して抜止片が設けられ、この抜止片が折線を介して表片上に内側に折り込まれていることを特徴とする請求項１記載のカードケース型情報シート。
【請求項３】
前記第１中間片に折線を介して前記第２フラップを連設した当該折線上に、オーム字形フック金具を係止するための切り込みを設けたことを特徴とする請求項１または２記載のカードケース型情報シート。
【請求項４】
中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された、当該折線上に細長孔を有する第２フラップと、表片の左側に折線を介して連設された方形の第２中間片と、該第２中間片の左側に折線を介して連設された方形の裏片と、該裏片の左側に折線を介して連設された折込片と、
を備える型シートに形成され、
この型シートにおいて、第１中間片を、折線を介して表片上に折り重ね、その折り重ねた第１中間片の上に第２中間片を、折線を介して折り重ねて、今まで裏面側だった該第２中間片に連接する裏片、折込片および摘み片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と折込片との間の折線を介して折込片を裏片側に折り畳むと共に該折込片を前記結合したフラップと第２中間片との間に挿入してなることを特徴とするカードケース。
【請求項５】
前記表片の上側に折線を介して抜止片が設けられ、この抜止片が折線を介して表片上に内側に折り込まれていることを特徴とする請求項４記載のカードケース。
【請求項６】
前記第１中間片に折線を介して前記第２フラップを連設した当該折線上に、オーム字形フック金具を係止するための切り込みを設けたことを特徴とする請求項４または５記載のカードケース。
【考案の詳細な説明】
【技術分野】
【０００１】
この考案は、各種情報を表示できるスペースが多く、かつ各種カード、定期券等を収納できる携帯に便利なカードケース型情報シートおよびカードケースに関する。
【背景技術】
【０００２】
従来、表紙の略中央部に二つ折りする折り目が形成され、その一方の表紙の端部に突部が形成され、他方の表紙の端部に折曲部が形成され、前記折曲部に、前記突部が挿入して２片の表紙を二つ折り状態に保持する係止部が形成されている折り畳み情報シート、および前記折曲部の側端に連続して複数の表示部が形成された折り畳み情報シートが、この考案の出願人および考案者によって提案されている（例えば、特許文献１参照）。。
【先行技術文献】
【特許文献】
【０００３】
【特許文献１】実用新案登録第３０１６３３２号公報
【考案の概要】
【考案が解決しようとする課題】
【０００４】
前記折り畳み情報シートは、多くの情報を表示できるし、カードも収納できる好ましいものである。しかし、この折り畳み情報シートではカード類を表紙と表紙の間に挟み込んで使用するものであるため、携帯して使用する際にカード類が抜け落ち易く、紛失するおそれもあり、収納保持の信頼性に欠ける課題がある。
また、カード類を表紙と表紙の間に挟み込んで使用するものなので、カード類の収納できる枚数も少ないものとなり、結局、他のカード類の収納ケースも必要となる、ということになれば、携帯点数も多くなるし、その分経済的負担も多くなる。また、収納ケースの展開が容易でなく表示部の読み取りが困難である。
【０００５】
この考案は、このような課題を解決せんと提案されたものであり、全部または一部の片の表面および／または裏面が情報表示部となっている型シートを、折り畳んでカードケース型情報シートとすることによって、多くの情報が表示できるとともに、多数のカード類を収納でき、しかもこの収納保持の信頼性を高めることができ、カードケース型情報シートを容易かつスムースに展開可能にし、さらにカードケースの吊持、携帯をキーホルダ等の併用によって可能にするカードケース型情報シートおよびカードケースの提供を目的とする。
【課題を解決するための手段】
【０００６】
前記課題を解決するため、この考案のカードケース型情報シートは、中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された、当該折線上に細長孔を有する第２フラップと、表片の左側に折線を介して連設された方形の第２中間片と、該第２中間片の左側に折線を介して連設された方形の裏片と、該裏片の左側に折線を介して連設され、左側の所定幅が谷折り片部に形成された折込片と、
該折込片の谷折り片部に折線を介し連接された摘み片と、
を備える型シートに形成され、該型シートにおける全部または一部の片の表面および／または裏面が、情報表示部となり、この型シートにおいて、第１中間片を折線を介して表片上に折り重ね、その折り重ねた第１中間片の上に第２中間片を折線を介して折り重ねて、今まで裏面側だった該第２中間片に連接する裏片、折込片および摘み片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と折込片との間の折線を介して折込片を裏片側に折り畳むと共に折込片と摘み片との間の折線を介して摘み片を折り返し、この折り重ねられた折込片と摘み片を、両者の間の折線を先端頂部として前記結合したフラップと第２中間片との間に挿入してなることを特徴とする。
【０００７】
この構成により、型シートは折り畳まれて複数のカード類の収納部を備えるカードケースに形成されているので、複数のカード類、定期券等を、この複数の収納部に収納することができる。
【０００８】
一方、型シートの一部または全部の片の表面および／または裏面が情報表示部となっているので、カードケースに折り畳んだ順序と逆の手順において、型シートの各片を順次展開することで、型シートの各片の表裏面に表示した情報を観ることができる。しかも型シートを折り畳んでカードケースに形成するのも、カードケースから一部または全部の片に展開するのも容易に可能となる。従って、カードケースの状態としておいたものを、展開して情報を見たり、その後、カードケースに折り畳んで形成したりすることも容易にできる。
【０００９】
このことにより、例えば、何かの団体が会員を募集するような場合は、このカードケース型情報シートを、その団体の紹介や会員カードの情報およびその他の必要事項を表示したものとして、これに会員カードを収納して会員に手渡すこととすれば、会員は会員カードが保持できると共に、それらに関する情報がいつでも見ることができる便利なものとなる。しかも受け取った会員は、会員カードだけでなく、他のカード類や定期券も収納して携帯使用することができる。また、収納部からのカード類の出入も容易にでき、使い勝手もよいものである。
【００１０】
また、前記摘み片を手に持って畳み込んだ一部の片を引き出して容易に展開して表示された情報を見ることができる。この場合において、前記折込片に谷折り片部が設けられているため、折込片および摘み片間の折線を先端頂部として、これが前記結合した各フラップと前記第２中間片との間に挿入された状態では、前記谷折り片部が各フラップと前記第２中間片との間に僅かの空隙を作る。摘み片は折込片と略同幅で指で摘み上げ易い略矩形の形状であるため、摘み片を摘んで引き上げ操作した際に、谷折り片部が各フラップと第２中間片との間からこれらに滑らかに摺接しながら引き上げられて、カードケースの展開が速やかに実施できる。なお、この考案で型シートの表面および裏面は、特に、特定されているものではなく一方の面を表面とすれば、他方の面は裏面となるものである。
【００１１】
また、この考案のカードケース型情報シートは、前記表片の上側に折線を介して抜止片が設けられ、この抜止片が折線を介して表片上に内側に折り込まれていることを特徴とする。
この構成により収納部に収納されたカード類は、収納部の出入口の抜止片により不用意に抜け出ることがなくなり、また抜け落ちて紛失することが防止される。
【００１２】
また、この考案のカードケース型情報シートは、前記第１中間片に折線を介して前記第２フラップを連設した当該折線上に、オーム字形金具を係止するための細長孔を設けた構成である。
この構成により細長孔にΩ字形フック金具の円弧状突部を挿入し、この円弧状突部の両端に延びる水平部により前記折線部分を内側から支持させることで、円弧状突部にキーホルダ、リボン、紐などを取り付けて、カバンなどの携帯品に前記カードケースを吊持させる吊り具などとして利用できる。
【００１３】
また、この考案のカードケースは、中央部に所定の大きさの窓を形成した方形の表片と、該表片の下側右寄りに折線を介して連設された切込線を有する第１フラップと、表片の右側に折線を介して連設された方形の第１中間片と、該第１中間片の上側左寄りに折線を介して連設された、当該折線上に細長孔を有する第２フラップと、表片の左側に折線を介して連設された方形の第２中間片と、該第２中間片の左側に折線を介して連設された方形の裏片と、該裏片の左側に折線を介して連設された折込片と、
を備える型シートに形成され、
この型シートにおいて、第１中間片を、折線を介して表片上に折り重ね、その折り重ねた第１中間片の上に第２中間片を、折線を介して折り重ねて、今まで裏面側だった該第２中間片に連接する裏片、折込片および摘み片が表面側となって第２中間片の右側に連接する状態とし、第１フラップおよび第２フラップを折線を介して第２中間片の上に折り重ね、第１フラップと第２フラップを重ね合わせると共に第１フラップと第２フラップの切込線に互いのフラップを挿入して両フラップを結合し、裏片を折線を介して第２中間片および両フラップ上に重ね合わせ、裏片と折込片との間の折線を介して折込片を裏片側に折り畳むと共に該折込片を前記結合したフラップと第２中間片との間に挿入してなることを特徴とする。
【００１４】
この構成により、型シートは折り畳まれて複数のカード類の収納部を備えるカードケースに形成されているので、複数のカード類、定期券等を、この複数の収納部に収納することができる。
【００１５】
また、この考案のカードケースは、前記表片の上側に折線を介して抜止片が設けられ、この抜止片が折線を介して表片上に内側に折り込まれていることを特徴とする。
この構成により収納部に収納されたカード類は、収納部の出入口の抜止片により不用意に抜け出ることがなくなり、また抜け落ちて紛失することが防止される。
【００１６】
また、この考案のカードケースは、前記第１中間片に折線を介して前記第２フラップを連設した当該折線上に、オーム字形金具を係止するための細長孔を設けた構成である。
この構成により細長孔にΩ字形フック金具の円弧状突部を挿入し、この円弧状突部の両端に延びる水平部により前記折線部分を内側から支持させることで、円弧状突部にキーホルダ、リボン、紐などを取り付けて、カバンなどの携帯品に前記カードケースを吊持させる吊り具などとして利用できる。
【考案の効果】
【００１７】
この考案のカードケース型情報シートおよびカードケースによれば、次のような効果を奏する。
（１）この考案のカードケース型情報シートは、型シートを折り畳んで簡単にカードケースに形成できるし、カードケースとして形成された状態から容易に一部または全部の片を展開することができる。
（２）この考案の型シートは、折り畳まれて複数のカード類の収納部を備えるカードケースに形成されているので、複数のカード類、定期券等を、この複数の収納部に収納することができる。また、この収納部からのカード類の出入も容易にでき、使い勝手のよいものである。また、出入口に抜止片を有する収納部においては、収納したカード類はこの抜止片で抜け止めされるため、不用意に抜け落ちて紛失することも防止される。
【００１８】
（３）一方、型シートを形成する一部または全部の片の表面および／または裏面は、情報表示部となっているので、カードケースにより折り畳まれたカードケース型情報シートは、カードケースに折り畳んだ順序と逆の手順において、型シートの各片を順次展開することで型シートの各片の表裏面に表示した情報を見ることができる。
（４）しかも型シートを折り畳んでカードケースに形成するのもカードケースから一部または全部の片を展開するのも容易に可能となるので、カードケースの状態としておいたものを展開して情報を見たり、その後、カードケースに折り畳んだりしたりすることができる。
【００１９】
（５）また、型シートの各片の表裏面への情報の表示も、展開した型シートの状態で表示（例えば、印刷）できるし、型シートに打ち抜く時に同時に表示することも可能となるので、カードケースの形態として使用するものでも各片への情報の表示は容易にできるものである。
【００２０】
（６）何かの団体が会員を募集するような場合は、このカードケース型情報シートを、その団体の紹介や会員カードの情報およびその他の必要事項を表示したものとして、これに会員カードを収納して会員に手渡すこととすれば、会員は会員カードが保持できると共に、それらに関する情報がいつでも見ることができるし、受け取った会員は、会員カードだけでなく、他のカード類や定期券も収納して携帯使用することができる。
【００２１】
（７）第１中間片と第２フラップとを繋ぐ折線部分の細長孔にΩ字形フック金具の円弧状突部を挿入し、この円弧状突部の両端に延びる水平部により前記折線部分を内側から支持させることで、円弧状突部にキーホルダ、リボン、紐などを取り付けて、カバンなどの携帯品に前記カードケースを簡単に吊持させることができる。
【００２２】
摘み片は、カードケースから外出し手で摘みやすくなっており、かつ折込片に設けられた谷折り片部は、各フラップと第1中間片との間に挿入された状態においては、これらの間に空隙を作るため、摘み片の摘み上げによる折込片の前記空隙内からの引き上げを容易化かつ円滑化することができる。
【００２３】
以上、本考案について簡潔に説明した。さらに、以下に本考案を実施するための最良の形態を添付の図面を参照して詳細に説明する。
【図面の簡単な説明】
【００２４】
【図１】この考案の実施の形態を示す型シートの展開表面図である。
【図２】この考案の実施の形態を示す型シートの展開裏面図である。
【図３】型シートからカードケース型情報シートに折り畳む手順を示す工程説明図である。
【図４】型シートからカードケース型情報シートに折り畳む次の手順を示す工程説明図である。
【図５】型シートからカードケース型情報シートに折り畳む次の手順を示す工程説明図である。
【図６】型シートからカードケース型情報シートに折り畳むまた次の手順を示す工程説明図である。
【図７】型シートからカードケース型情報シートに折り畳むさらに次の手順を示す工程説明図である。
【図８】型シートからカードケース型情報シートに折り畳むまたさらに次の手順を示す工程説明図である。
【図９】型シートからカードケース型情報シートに折り畳むまたさらに次の手順を示す工程説明図である。
【図１０】折り畳まれて完成したカードケース型情報シートを示し、（ａ）はその表面図、（ｂ）は裏面図である。
【図１１】カードケース型情報シートにΩ字形金具を装着した状態の要部の断面図である。
【図１２】カードケース型情報シートにメモ帳を装着する手順を示す説明図である。
【図１３】カードケースにメモ帳が装着された状態を示す説明図である。
【図１４】型シートに情報を表示した具体例を示す展開表面図である。
【図１５】型シートに情報を表示した具体例を示す展開裏面図である。
【図１６】この考案のカードケースの実施の形態を示す展開裏面図である。
【図１７】型シートからカードケースに折り畳む手順を示す工程説明図である。
【図１８】型シートからカードケースに折り畳む次の手順を示す工程説明図である。
【図１９】型シートからカードケースに折り畳む次の手順を示す工程説明図である。
【図２０】型シートからカードケースに折り畳むまた次の手順を示す工程説明図である。
【図２１】型シートからカードケースに折り畳むさらに次の手順を示す工程説明図である。
【図２２】型シートからカードケースに折り畳むまたさらに次の手順を示す工程説明図である。
【図２３】型シートからカードケースに折り畳むまたさらに次の手順を示す工程説明図である。
【図２４】折り畳まれて完成したカードケースを示し、（ａ）はその表面図、（ｂ）は裏面図である。
【考案を実施するための形態】
【００２５】
以下、この考案の実施の形態を図面と共に詳細に説明する。図１は、この考案の実施の形態を示す型シートの展開表面図、図２は、この考案の実施の形態を示す型シートの展開裏面図、図３乃至図９は型シートからカードケース型情報シートに折り畳む手順を工程順に示す説明図、図１０は折り畳み完成されたカードケース型情報シートを示し、（ａ）はその表面図、（ｂ）はその裏面図である。なお、この型シートにおける表面および裏面は、特定されているものではなく、一方の面を表面とすれば、他方の面が裏面となるものである。この実施の形態では、図２に示す展開状態の型シート１を基準に説明する。
【００２６】
この型シート１は、プラスチックシートや紙シートを打ち抜き形成したものであり、図２に示すように中央部に所定の大きさの窓３を形成した方形の表片２と、この表片２の上側に折線５を介して連設された抜止片４と、表片２の下側右寄りに折線７を介して連設された切込線８を有する第１フラップ６と、表片２の右側に折線１０を介して連設された方形の第１中間片９と、該第１中間片９の上側左寄りに折線１２を介して連設された切込線１３を有する第２フラップ１１と、表片２の左側に折線１５を介して連設された方形の第２中間片１４と、該第２中間片１４の左側に折線１７を介して連設された方形の裏片１６と、該裏片１６の左側に折線１９を介して連設された折込片１８と、この折込片１８の左端の中間に折線２１を介して連設された摘み片２２と、を備える。
【００２７】
前記表片２、第１中間片９、第２中間片１４、裏片１６、折込片１８は、図上、上下方向の長さが略等しい。また表片２および第１中間片９の幅は略等しく、第２の中間片１４の幅は表片２の幅より大きく（例えば５／４倍程度）、裏片１６および第２中間片１４の幅は略等しい。また、折込片１８は、摘み片２２側に向って上下方向の幅（長さ）が狭まるように形成され、その幅は（横方向の幅）表片２の幅より小さい。摘み片２２の上下方向の長さは表片２の長さより例えば１／３〜１／４程度と短く、その幅は折込片１８の幅に近い（略等しい）大きさである。
【００２８】
また、折込片１８のうち、摘み片２２方向の所定幅（例えば、摘み片２２の１／３幅）の位置に、後述の谷折り片部２６を区画する折線２０が設けられている。さらに、第１中間片９および第２フラップ１１間の折線１２上に細長孔２７が設けられている。この細長孔２７は後述のキーホルダに吊持可能なΩ字形金具のフック等を係合保持可能なサイズ（長さ）となっている。
【００２９】
この型シート１の各片２、９、１４、１６、１８およびフラップ６、１１における一部または全部の片およびフラップの表面および裏面は、情報の表示部となって所定の情報が表示される。即ち、この型シート１が情報シートとなっている。この型シート１の各片２、９、１４、１６、１８およびフラップ６、１１への情報の表示は、図１および図２に示す展開状態として施すと、印刷等により簡単に表示できる。型シート１に打ち抜き形成する時に、同時に表示するようにしてもよいし、打ち抜き形成する前に、プラスチックシートや紙シートの原紙に表示（例えば、印刷）してから型シート１に打ち抜き形成してもよい。
【００３０】
次に、このように形成した型シート１からカードケースに折り畳む手順を説明するが、より判り易くするために各片、フラップの図１に示す面側にはＡの符号を付加し、図２に示す面側にはＢの符号を付加している。また、図１で示す面をＡ面、図２で示す面をＢ面と表記している。まず、図２に示す展開状態から図３に示すように抜止片４を、折線５において表片２Ｂ（２）上に折り重ねる。次に、この図３の状態から図４に示すように第１中間片９（９Ｂ）を、折線１０において抜止片４（４Ａ）および表片２Ｂ（２）上に折り重ねる。従って、図３ではＢ面が表面側だった第１中間片９（９Ｂ）および第２フラップ１１（１１Ｂ）が、図４では折り返されることによってＡ面が表面側となっている。
【００３１】
次に、図４に示す状態から図５に示すように前記表片２Ｂ（２）上に折り重ねた第１中間片９（９Ｂ）の上に第２中間片１４Ｂ（１４）を、折線１５を介して折り重ねる。このとき、裏片１６Ｂ（１６）、折込片１８Ｂ（１８）、および摘み片２２も引き連れて一緒に折り返される。従って、図４では第２中間片１４、裏片１６、折込片１８および摘み片２２が左側に連設し、Ｂ面があらわれていたのが、図５に示すように表片４上に折り重ねられた第１中間片９の上に折線１５を介して第２中間片１４を折り重ねることによって、折り返されて今までＢ面だった第２中間片１４、裏片１６、折込片１８および摘み片２２は、右側に連設し、Ａ面があらわれる。
【００３２】
次に、図５に示す状態から図６に示すように折り重ねられた第２中間片１４Ａ（１４）の上に折線１２を介して第２フラップ１１を折り重ね、また、図６に示す状態から図７に示すように第１フラップ６を、折線７を介して第２中間片１４Ａ（１４）の上に折り重ね、第１フラップ６と第２フラップ１１を重ね合わせると共に、図７および図８に示すように第１フラップ６と第２フラップ１１の切込線８、１３に互いのフラップを挿入して両フラップ６、１１を結合する。これによりあらわれる面は、図７に示すように第１フラップ６はＡ面であり、第２フラップ１１はＢ面である。
【００３３】
次に、図８に示すように図７の状態から折込片１８を、折線１９を介して裏片１６Ａ（１６）に向って折り返すとともに、摘み片２２を折線２１を介して折込片１８Ｂ（１８）上に折り返す。即ち、図８においては裏片１６と折込片１８とは折線１９において谷折りであり、折込片１８と摘み片２２とは折線２１において山折りである。また、折込片１８において折線２０から摘み片２２端縁までの領域は、折線２０において所定角度（例えば、１５０度）に谷折りされた谷折り片部２６となっている。さらに、摘み片２２はこの谷折り片部２６に対して折線２１で略Ｖ字状に山折りされている。
【００３４】
最後に、この状態から図９に示すように裏片１６を、折線１７を介して第２中間片１４および結合状態の両フラップ６、１１上に重ね合わせると共に、前記折り重ねられた折込片１８と摘み片２２を、折線２１において谷折りした先端頂部からフラップ６、１１と第２中間片１４との間に挿入する。これにより図１０（ａ）、（ｂ）に示すようなカードケースが完成する。この時、図１０（ｂ）に示すように略矩形の摘み片２２は、指で摘み易い所定幅分だけ、裏片１６より突出した状態となる。このカードケースでは、図１０（ａ）に示す表面側には、収納部２３、２４が形成され、図１０（ｂ）に示す裏面側では収納部２５が形成される。
【００３５】
この場合においては、折込片１８における谷折り片部２６がこの折込片１８の他の領域に対して折線２０で谷折され、この谷折りされて前記角度を維持した状態にて、フラップ６、１１および第２中間片１４間を押し開くように挿入される。このため、フラップ６、１１および第２中間片１４間には谷折り片部２６および摘み片２２が余裕を持って移動可能な間隙が生じる。従って、後述の摘み片２２の引き上げ操作によって、折込片８をスムースに引き上げることができる。これによりカードケースの展開を容易化、迅速化することができる。
【００３６】
このように、折り畳み形成されたカードケースは、前記の折り畳み手順とは逆の手順で容易に展開することができる。例えば、図１０（ａ）（ｂ）に示すカードケースの状態から摘み片２２を手に持って引き出せば、図９に示すように折込片１８および摘み片２２を、結合したフラップ６、１１と第２中間片１４との間から簡単、スムースに引き出すことができるから、図７に示す状態に展開することができる。この場合において、フラップ６、１１および第２中間片１４間には谷折り片部２６が余裕を持って移動する間隙が存在するので、摘み片２２の引き上げ操作によって、折込片１８を大きな操作抵抗を受けずにスムースに引き上げることができる。さらに図７に示す状態から両フラップ６、１１の切込線８、１３の結合を解除し、折り畳み時と逆の手順を取ることによって図１および図２の状態に展開することができる。
【００３７】
また、図４に示すように、第１中間片９とフラップ１１とを繋ぐ折線１２上に設けられた細長孔２７には、このフラップ１１が第１の中間片９の表面９Ａ上に重ねられる直前の状態で、図１１に示すようなΩ字形金具２８の突起部２８ａをＡ面側から挿通して、その突起部２８ａをＢ面側へ突出させる。このとき、この突起部２８ａの両端に連続する各水平支持部２８ｂを、細長孔２７の外側において、折線１２部分をＡ面側から支持するように位置させる。従って、Ω字形金具２８の突起部２８ａに周知のキーホルダ２９のフック金具３０を係止することで、型シート１からなるカードケースをバッグなどの携帯品等に吊持させることができる。なお、突起部２８ａにはキーホルダ２９のフックの他、単なる紐やリボン、その他の吊り降ろし部材を係止させることもできる。
【００３８】
しかして、カードケース型情報シートは、情報シートとなる型シート１を折り畳んで簡単にカードケースに形成できるし、カードケースとして形成された状態から容易に一部または全部の片２、９、１４、１６、１８、２２およびフラップ６、１１に展開することができる。
そして、型シート１が折り畳まれたカードケース型情報シートは、複数のカード類の収納部２３、２４、２５を備えるので、複数のカード類、定期券等を収納することができる。また、収納部２３の出入口には、抜止片４を備えるので、この収納部２３に収納したカード類は、抜止片４で不用意に抜け落ちるのが防止される。この抜止片４は必ずしも必要ではないが、設けるとカード類の抜け落ちが防止されるので好ましい。
【００３９】
また、型シートを形成する一部または全部の片２、９、１４、１６、１８およびフラップ６、１１の表面および／または裏面は、情報表示部となっているのでカードケースに折り畳まれた情報シート（型シート）は、カードケース型情報シートに折り畳んだ順序と逆の手順において、型シート１の各片２、９、１４、１６、１８およびフラップ６、１１の表裏面に表示した情報を見ることができる。例えば、図１０（ａ）（ｂ）に示す状態のカードケース型情報シートから摘み片２２を手に持って図９に示すように折込片１８を引き出すだけで、図７に示す状態に展開することができるから、この状態でも図７に示す各片１６、１８の表裏面、および第２中間片１４のＡ面、表片２のＡ面、第１フラップ６のＡ面、第２フラップ１１のＢ面に表示した情報は見ることができる。
【００４０】
従って、何かの団体が会員を募集するような場合は、このカードケース型情報シートを、その団体の紹介や会員カードの情報およびその他の必要事項を表示したものとして、これに会員カードを収納して会員（入会者）に手渡すこととすれば、会員は会員カードが保持できると共に、それに関する情報がいつでも見ることができるし、受け取った会員は会員カードだけでなく、他のカード類や定期券も収納して使用することができる。
【００４１】
また、このカードケース型情報シートは、メモ帳を着脱可能に収納することができる。このメモ帳３１は、図１２に示すように、紙などの帯状シート３２を等幅に、ジグザグ状に複数重に折り重ねたものからなる。折り重ねられた各折り片３２ａ〜３２ｎ（ｎは整数）の表裏面には、週間予定、月別スケジュール、緊急連絡先、その他の情報を記入するための、例えば、図１３に示すような情報記入欄３３が設けられている。
【００４２】
このメモ帳３１は、前述のように帯状シート３２を折り重ねたものであるので、各折り片３２ａ〜３２ｎのうち、帯状シート３２ａの一端、例えば折り片３２ａを、第２中間片１４と結合状態のフラップ６、１１との間に挿入する。図１２は、折り片３２ａを、これの先端部Ｐから第２中間片１４と結合状態のフラップ６、１１との間に矢印方向に挿入する直前の状態を示す。
【００４３】
この折り片３２ａの前記挿入は、折り片３２ａの全体が第２中間片１４上に重なる位置まで十分に行い、その後、残る折片３２ｂ〜３２ｎを、前述のように折り畳んだ状態にて、各フラップ６、１１上に載置する。これにより、メモ帳３１は折り片３２ａが第２中間片１４と結合状態のフラップ６、１１との間に保持された状態となることによって、各フラップ６、１１上に容易に脱落しないように保持され、図１３に示す状態となる。
【００４４】
次に、裏片１６を、折線１７を介して第２中間片１４および結合状態の両フラップ６、１１上に重ね合わせると共に、前記折り重ねられた折込片１８と摘み片２２を、折線２１において谷折りした先端頂部から、第２中間片１４と折り片２ａとの間に挿入する。これにより、メモ帳３１を収納したカードケースが完成する。
【００４５】
上記においては、折り片３２ａを第２中間片１４と結合状態のフラップ６、１１との間に挿入する場合を示したが、この折り片３２ａとともに他の折り片３２ｂ〜３２ｎのうちの複数片を、一緒に第２中間片１４と結合状態のフラップ６、１１との間に挿入し、保持させるようにしてもよい。また、メモ帳３１が通常の見開きタイプの手帳の場合には、これらの表紙および裏表紙のうちの、一方の表紙を前記第２中間片１４と結合状態のフラップ６、１１との間に挿入することによって保持させることもできる。このようにカードケース型情報シートは、メモ帳を着脱可能に収納することができる。
【００４６】
図１４および図１５は、型シート（情報シート）１に情報を表示した具体例を示す展開表面図および展開裏面図である。例えば、プロ野球球団が会員を募集するとすれば、図１４に示すように第２中間片１４のＡ面には、監督の写真や名前、裏片１６、折込片１８のＡ面には選手の写真や名前などの情報を表示し、図１５に示すように裏片１６、折込片１８のＢ面には、会員カードに関する情報（例えば、会員カードの使用方法、特典など）、第１中間片９のＢ面にはその他の必要事項を表示する。特に、裏片１６のＢ面は、カードケース型情報シートに形成されたとき、カードケース型情報シートの表面に位置するので、この部分には展開しないで見る有効な情報が記載される。
【００４７】
従って、野球球団になった会員は、カードケースとして会員カードをはじめとするカード類を収納して使用できると共に、会員カードに関する情報や球団に関する情報を見ることができる。本例では、選手名を知ることができるし、応援方法の記載があれば、それを取得して応援することもできる。また、カードケースに形成したとき、収納部２３には窓３が形成されているので、会員カードを取り出すことなく、カードケース型情報シートごと提示することができる。
【００４８】
また、第１フラップ６および第２フラップ１１の切込線８、１３は、互いのフラップ６、１１を挿入して結合できる構成であればよく特に制限はないが、図示のように少し傾斜した切込線８、１３としておくと、互いのフラップ６、１１を挿入したときに抜止めされて互いの結合が強固になるので好ましい。
さらに、用途、表示される情報も、この考案の要旨を逸脱しない範囲で自由であり、前記実施の形態に制限されるものではない。
【００４９】
以上のように、本実施形態のカードケース型情報シートは、第１中間片の上側左寄りに折線を介して第２フラップを連設し、当該折線上に細長孔を設け、表片の左側に折線を介して方形の第２中間片を有し、該第２中間片の左側に折線を介して方形の裏片を有し、該裏片の左側に折線を介して折込片を有し、該折込片の左側に折線を介して前記折込片と略同幅（同長）の略矩形の摘み片を有し、前記折込片に、該折込片の摘み片側に所定幅に亘って山折された谷折り片部を有する。
【００５０】
この構成により、折り畳み状態のカードケースの摘み片を指で摘んで折込片を引き出し、各片およびフラップを展開することで、各辺に表示された情報を容易に見ることができる。この場合において、前記折込片に谷折り片部が設けられているため、折込片および摘み片間の折線を先端頂部として、これを前記結合した各フラップと前記第２中間片との間に挿入してカードケースとした状態では、前記谷折り片部が各フラップと前記第２中間片との間に僅かの空隙を作る。このため、摘み片が折込片と略同幅で指で摘み上げ易い形状であることと合わせて、折込片の引き上げ操作がスムースに行える。このため、摘み片を摘んで引き上げ操作した際に、谷折り片部が各フラップおよび第２中間片の間からこれらに滑らかに摺接しながら引き上げられて、カードケースの展開が容易になる。
【００５１】
また、第１中間片と第２フラップとを繋ぐ折線部分の細長孔にΩ字形金具の円弧状突部を挿入し、この円弧状突部の両端に延びる水平部により前記折線部分を内側から支持させることで、円弧状突部にキーホルダ、リボン、紐などを取り付けて、カバンなどの携帯品に前記カードケース型情報シートを簡単に吊持させることができる。
【００５２】
次に、前記カードケース型情報シートの型シート１は、該型シート１から図１６に示すような摘み片２２を削除する型シート１０１とすることによって、カードケースに構成することができる。
図１６は、本考案のカードケースの実施の形態を示す展開裏面図、図１７乃至図２３は、型シートからカードケースに折り畳む手順を工程順に示す工程説明図、図２４は、折り畳まれて完成したカードケースの表面図（ａ）、裏面図（ｂ）であり、前記カードケース型情報シートと同じ構成要素には、同一符号を付して詳細な説明は省略する。
本例のカードケースが前記カードケース型情報シートと異なる点は、本例のカードケースの型シート１０１が、前記カードケース型情報シートの型シート１から摘み片２２が削除され、また、折込片１８の谷折り部２６がない点である。
【００５３】
即ち、このカードケースの型シート１０１は、プラスチックシートや紙シートを打ち抜き形成したものであり、図１６に示すように中央部に所定の大きさの窓３を形成した方形の表片２と、この表片２の上側に折線５を介して連設された抜止片４と、表片２の下側右寄りに折線７を介して連設された切込線８を有する第１フラップ６と、表片２の右側に折線１０を介して連設された方形の第１中間片９と、該第１中間片９の上側左寄りに折線１２を介して連設された切込線１３を有する第２フラップ１１と、表片２の左側に折線１５を介して連設された方形の第２中間片１４と、該第２中間片１４の左側に折線１７を介して連設された方形の裏片１６と、該裏片１６の左側に折線１９を介して連設された折込片１８と、を備える。
【００５４】
次に、このように形成した型シート１０１からカードケースに折り畳む手順を説明するが、より判り易くするために各片、フラップの図１６に示す面側にはＢの符号を付加し、その反対側の面側にはＡの符号を付加している。また、図１６に示す面をＢ面、その反対側の面をＡ面と表記している。
まず、図１６に示す展開状態から図１７に示すように抜止片４を、折線５において表片２Ｂ（２）上に折り重ねる。次に、この図１７の状態から図１８に示すように第１中間片９（９Ｂ）を、折線１０において抜止片４（４Ａ）および表片２Ｂ（２）上に折り重ねる。従って、図１７ではＢ面が表面側だった第１中間片９（９Ｂ）および第２フラップ１１（１１Ｂ）が、図１８では折り返されることによってＡ面が表面側となっている。
【００５５】
次に、図１８に示す状態から図１９に示すように前記表片２Ｂ（２）上に折り重ねた第１中間片９（９Ｂ）の上に第２中間片１４Ｂ（１４）を、折線１５を介して折り重ねる。このとき、裏片１６Ｂ（１６）、折込片１８Ｂ（１８）も引き連れて一緒に折り返される。従って、図１８では第２中間片１４、裏片１６、折込片１８が左側に連設し、Ｂ面があらわれていたのが、図１９に示すように表片４上に折り重ねられた第１中間片９の上に折線１５を介して第２中間片１４を折り重ねることによって、折り返されて今までＢ面だった第２中間片１４、裏片１６、折込片１８は、右側に連設し、Ａ面があらわれる。
【００５６】
次に、図１９に示す状態から図２０に示すように折り重ねられた第２中間片１４Ａ（１４）の上に折線１２を介して第２フラップ１１を折り重ね、また、図２０に示す状態から図２１に示すように第１フラップ６を、折線７を介して第２中間片１４Ａ（１４）の上に折り重ね、第１フラップ６と第２フラップ１１を重ね合わせると共に、図２１および図２２に示すように第１フラップ６と第２フラップ１１の切込線８、１３に互いのフラップを挿入して両フラップ６、１１を結合する。これによりあらわれる面は、図２１に示すように第１フラップ６はＡ面であり、第２フラップ１１はＢ面である。
【００５７】
次に、図２２に示すように図２１の状態から折込片１８を、折線１９を介して裏片１６Ａ（１６）に向って折り返す。
最後に、この状態から図２３に示すように裏片１６を、折線１７を介して第２中間片１４および結合状態の両フラップ６、１１上に重ね合わせると共に、前記折り重ねられた折込片１８を、フラップ６、１１と第２中間片１４との間に挿入する。これにより図２４（ａ）、（ｂ）に示すようなカードケースが完成する。このカードケースでは、図２４（ａ）に示す表面側には、収納部２３、２４が形成され、図２４（ｂ）に示す裏面側では収納部２５が形成される。
【００５８】
このようにカードケース型情報シートは、カードケースに応用できるものである。
また、カーッドケースにΩ字形金具２８を設けてもよく、この構成は前記実施の形態と同様である。
【符号の説明】
【００５９】
１  型シート（情報シート）
２  表片
３  窓
４  抜止片
５、７、１０、１２、１５、１７、１９、２１  折線
６  第１フラップ
８、１３  切込線
９  第１中間片
１１  第２フラップ
１４  第２中間片
１６  裏片
１８  折込片
２２  摘み片
２３、２４、２５  収納部
２６  谷折り片部
２７  細長孔
２８  Ω字形金具
２８ａ  突起部
２８ｂ  水平支持部
２９  キーホルダ
３０  フック金具
３１  メモ帳
３２  帯状シート
３２ａ〜３２ｎ  折り片
３３  情報記入欄
１０１  型シート
【図１】
0003179780.tif 000003
【図２】
0003179780.tif 000004
【図３】
0003179780.tif 000005
【図４】
0003179780.tif 000006
【図５】
0003179780.tif 000007
【図６】
0003179780.tif 000008
【図７】
0003179780.tif 000009
【図８】
0003179780.tif 000010
【図９】
0003179780.tif 000011
【図１０】
0003179780.tif 000012
【図１１】
0003179780.tif 000013
【図１２】
0003179780.tif 000014
【図１３】
0003179780.tif 000015
【図１４】
0003179780.tif 000016
【図１５】
0003179780.tif 000017
【図１６】
0003179780.tif 000018
【図１７】
0003179780.tif 000019
【図１８】
0003179780.tif 000020
【図１９】
0003179780.tif 000021
【図２０】
0003179780.tif 000022
【図２１】
0003179780.tif 000023
【図２２】
0003179780.tif 000024
【図２３】
0003179780.tif 000025
【図２４】
0003179780.tif 000026